(57)【要約】【課題】曖昧な印刷設定とコンテンツの内容との両方に適合した印刷仕様を算出することができ、無駄な印刷を省く。【解決手段】曖昧な印刷設定を保存する設定内容保存手段１４と、設定内容に基づき曖昧な印刷設定の指示を受け付ける曖昧印刷設定指示手段１１と、印刷用のコンテンツを解析するコンテンツ解析手段１２と、曖昧な印刷設定と、前記コンテンツの内容と、印刷ジョブ定義データとの関係を示す生成ルールを保存する生成ルール保存手段１５と、生成ルールに基づいて、曖昧な印刷設定およびコンテンツの内容から印刷ジョブ定義データを生成する印刷ジョブ定義データ生成手段１３と、からなる。【選択図】図１
2008257619.tif 000002
【特許請求の範囲】
【請求項１】
曖昧な印刷設定を保存する設定内容保存手段と、
設定内容に基づき曖昧な印刷設定の指示を受け付ける曖昧印刷設定指示手段と、
印刷用のコンテンツを解析するコンテンツ解析手段と、
前記曖昧な印刷設定と、前記コンテンツの内容と、印刷ジョブ定義データとの関係を示
す生成ルールを保存する生成ルール保存手段と、
前記生成ルールに基づいて、前記曖昧な印刷設定および前記コンテンツの内容から印刷
ジョブ定義データを生成する印刷ジョブ定義データ生成手段と、
からなる印刷ジョブ定義データ生成装置。
【請求項２】
前記コンテンツ解析手段は、解像度および使用色数と、画質との関係を示す画質判定ル
ールを用いて、コンテンツの中に含まれている一部または全ての画像に対して画像解析を
行うことを特徴とする請求項１に記載の印刷ジョブ定義データ生成装置。
【請求項３】
前記コンテンツ解析手段は、コンテンツの表紙または裏表紙と中身とに分けてコンテン
ツの解析を行うことを特徴とする請求項１または２に記載の印刷ジョブ定義データ生成装
置。
【請求項４】
前記曖昧印刷設定指示手段は、ユーザに所望の印刷設定を選択させ、前記印刷ジョブ定
義データ生成手段は、ユーザが選択した印刷設定に基づいて印刷ジョブ定義データを生成
することを特徴とする請求項１〜３のいずれか１項に記載の印刷ジョブ定義データ生成装
置。
【請求項５】
印刷ジョブ定義データを取得する印刷ジョブ定義データ取得手段と、
曖昧な印刷設定を保存する設定内容保存手段と、
設定内容に基づき曖昧な印刷設定の指示を受け付ける曖昧印刷設定指示手段と、
印刷用のコンテンツを解析するコンテンツ解析手段と、
前記曖昧な印刷設定と、前記コンテンツの内容と、印刷ジョブ定義データとの関係を示
す生成ルールを保存する生成ルール保存手段と、
前記生成ルールに基づいて、前記曖昧な印刷設定および前記コンテンツから、前記印刷
ジョブ定義データを判定する印刷ジョブ定義データ判定手段と、
からなる印刷ジョブ定義データ判定装置。
【請求項６】
印刷ジョブ定義データを取得する印刷ジョブ定義データ取得手段と、
曖昧な印刷設定を保存する設定内容保存手段と、
設定内容に基づき曖昧な印刷設定の指示を受け付ける曖昧印刷設定指示手段と、
印刷用のコンテンツを解析するコンテンツ解析手段と、
前記曖昧な印刷設定と、前記コンテンツの内容と、印刷ジョブ定義データとの関係を示
す生成ルールを保存する生成ルール保存手段と、
前記生成ルールに基づいて、前記曖昧な印刷設定および前記コンテンツから、前記印刷
ジョブ定義データを修正する印刷ジョブ定義データ修正手段と、
からなる印刷ジョブ定義データ修正装置。
【請求項７】
曖昧な印刷設定を保存する設定内容保存ステップと、
設定内容に基づき曖昧な印刷設定の指示を受け付ける曖昧印刷設定指示ステップと、
印刷用のコンテンツを解析するコンテンツ解析ステップと、
前記曖昧な印刷設定と、前記コンテンツの内容と、印刷ジョブ定義データとの関係を示
す生成ルールを保存する生成ルール保存ステップと、
前記生成ルールと基づいて、前記曖昧な印刷設定および前記コンテンツの内容から印刷
ジョブ定義データを生成する印刷ジョブ定義データ生成ステップと、
を含む印刷ジョブ定義データ生成方法。
【発明の詳細な説明】
【技術分野】
【０００１】
本発明は、曖昧な印刷設定とコンテンツの内容との両方に適合した印刷ジョブ定義デー
タを生成する印刷ジョブ定義データ生成装置、判定装置、修正装置、および生成方法に関
する。
【背景技術】
【０００２】
一般に、ページ記述言語（ＰＤＬ：Ｐａｇｅ  Ｄｅｓｃｒｉｐｔｉｏｎ  Ｌａｎｇｕａ
ｇｅ）による印刷データを印刷する際、印刷ジョブに関する情報を印刷ジョブ定義データ
（ＪＤＦ：Ｊｏｂ  Ｄｅｆｉｎｉｔｉｏｎ  Ｆｏｒｍａｔ）として扱い、この印刷ジョブ
定義データを印刷装置設定用の印刷ジョブ設定データに変換し、この印刷ジョブ設定デー
タを受け取ってから印刷を行う方法が知られている。
印刷ジョブ定義データは、印刷処理に用いる印刷装置の詳細な設定情報を含み、具体的
には、例えば、面付けする際に用いる用紙サイズ、用紙種別、面付方法、面付けにおける
詳細な座標情報、折り方法、断裁位置に関する情報、およびインク種別などの情報が含ま
れる。
【０００３】
しかしながら、印刷ジョブに関するデータとして、曖昧な印刷設定のみで印刷ジョブ定
義データのような詳細な設定情報を含まない場合が多々あり、このような場合でも適切な
印刷を行うために種々の提案がなされている。
例えば、特許文献１に記載の画像形成装置は、ステープル指定を厳密に行わなくても転
写紙状況等の環境に応じた適切なステープル処理を可能とし、失敗印刷を少なくするため
に、複数のステープル箇所、ステープル方向および給紙方向の組み合わせパターンに関し
て印刷方向、給紙方向及びステープル箇所毎にまとめた曖昧用パターンを設定しておき、
ステーブツ指定が曖昧指定された場合には印刷方向、給紙方向及び曖昧用パターンを参照
してステープル綴じをするパターンを決定することで、ステープル綴じが所望通りに成功
する確率が高まる、という装置である。
【０００４】
また、特許文献２に記載の画像形成装置は、両面印刷可能な時にのみ両面印刷する等の
曖昧な印刷指示に応じて印刷処理を行うために、プリンタは、両面印刷可能時のみ両面印
刷を行う、最も用紙残量の多い給紙トレイからの給紙を行い、紙なしの排紙トレイまたは
排紙可能枚数の多い排紙トレイへの排紙を行う等の曖昧な印刷指示に応じて、各部のセン
サの検出結果に基づいて、両面印刷が可能な状態のときにのみ両面印刷を行ったり、用紙
の最も多く載置されている給紙トレイを給紙トレイとして選択したり、また、用紙の排出
されていない排紙トレイまたは排出されている用紙の最も少ない排紙トレイとして選択し
て印刷処理を行う。したがって、印刷処理を適切にかつエラー発生を抑制しつつ行うこと
ができ、利用性を向上させることができる装置である。
【０００５】
また、特許文献３記載の装置は、用紙種別を自動検知するモードが選択された場合でも
、本来曖昧な印刷プロファイルとして定義されているグループ用のプロファイルに代えて
、その用紙が属するグループに対して、登録されている用紙に合致する最適な印刷プロフ
ァイルとして印刷データ生成処理部がプロファイル格納部を参照しながら確定する装置で
ある。
【特許文献１】特開平１１−８４９５０号公報
【特許文献２】特開２００３−１５６８９２号公報
【特許文献３】特開２００５−７０８７７号公報
【発明の開示】
【発明が解決しようとする課題】
【０００６】
上記特許文献１〜３は、全て、曖昧な印刷仕様の場合でも最適に処理しようとする発明
であり、特許文献１では、最適なステープル処理を可能にし、特許文献２では、最適なト
レイ選択を可能にし、特許文献３では、最適な用紙選択を可能にするものであるが、いず
れもユーザの利便性を向上させる曖昧さを許容しておらず、コンテンツの内容は全く考慮
せれず、コンテンツの内容に応じて適切な処理を行っていないので、適切な処理を行うこ
とはできないという問題があった。
本発明は、上述した事情を鑑みてなされたものであって、曖昧な印刷設定とコンテンツ
の内容との両方に適合した印刷仕様を算出することができ、無駄な印刷を省くことができ
る印刷ジョブ定義データ生成装置、判定装置、修正装置、および生成方法を提供すること
を目的としている。
【課題を解決するための手段】
【０００７】
〔形態１〕  上記目的を達成するために、形態１の印刷ジョブ定義データ生成装置は、
曖昧な印刷設定を保存する設定内容保存手段と、
設定内容に基づき曖昧な印刷設定の指示を受け付ける曖昧印刷設定指示手段と、
印刷用のコンテンツを解析するコンテンツ解析手段と、
前記設定内容保存手段に保存されている曖昧な印刷設定と、前記コンテンツ解析手段に
より解析されたコンテンツの内容と、印刷ジョブ定義データとの関係を示す生成ルールを
保存する生成ルール保存手段と、
前記曖昧な印刷設定と、前記コンテンツの内容と、前記生成ルールとに基づいて、印刷
ジョブ定義データを生成する印刷ジョブ定義データ生成手段と、からなる。
【０００８】
この構成によれば、設定内容保存手段により曖昧な印刷設定を保存しておき、曖昧印刷
設定指示手段により、設定内容に基づき曖昧な印刷設定の指示を受け付け、コンテンツ解
析手段により印刷用のコンテンツを解析し、生成ルール保存手段に、前記設定内容保存手
段に保存されている曖昧な印刷設定と、前記コンテンツ解析手段により解析されたコンテ
ンツの内容と、印刷ジョブ定義データとの関係を示す生成ルールを保存し、印刷ジョブ定
義データ生成手段により、前記曖昧な印刷設定と、前記コンテンツの内容と、前記生成ル
ールとに基づいて、印刷ジョブ定義データを生成するので、曖昧な印刷設定とコンテンツ
の内容との両方に適合した印刷仕様を算出することができ、無駄な印刷を省くことができ
るという効果が得られる。
なお、「曖昧な印刷設定」とは、特定の定義はないが、本明細書においては、厳密な印
刷設定ではなく、「本」、「チラシ」、「見開きパンフ」、「三ツ折りパンフ」など出来
上がりの外観的な印刷物を表現したものをいう。
【０００９】
〔形態２〕  形態２の発明は、形態１の印刷ジョブ定義データ生成装置に係り、
前記コンテンツ解析手段は、解像度および使用色数と、画質との関係を示す画質判定ル
ールを用いて、コンテンツの中に含まれている一部または全ての画像に対して画像解析を
行うことを特徴とする。
この構成によれば、コンテンツの中に含まれている一部または全ての画像に対して、画
質判定ルールを適用して、解像度および使用色数から、画質を推定することにより、正確
な画像解析を行うことができ、印刷ジョブ定義データ生成手段においても、適切な印刷ジ
ョブ定義データを生成することができるという効果が得られる。
【００１０】
〔形態３〕  形態３の発明は、形態１または２の印刷ジョブ定義データ生成装置に係り
、
前記コンテンツ解析手段は、コンテンツの表紙または裏表紙と中身とに分けてコンテン
ツの解析を行うことを特徴とする。
この構成によれば、曖昧な印刷設定が例えば本のような場合には、コンテンツの表紙ま
たは裏表紙と中身とに分けてコンテンツの解析を行うので、用紙の厚さ等に応じた印刷設
定を行うことができ、より適切な印刷ジョブ設定データを生成することができるという効
果が得られる。
【００１１】
〔形態４〕  形態４の発明は、形態１〜３のいずれか１の印刷ジョブ定義データ生成装
置に係り、
前記曖昧印刷設定指示手段は、ユーザに所望の印刷設定を選択させ、前記印刷ジョブ定
義データ生成手段は、ユーザが選択した印刷設定に基づいて印刷ジョブ定義データを生成
することを特徴とする。
【００１２】
この構成によれば、曖昧印刷設定指示手段により、ユーザに印刷設定を選択させるので
、ユーザは掲示された印刷設定を選択するだけで所望の印刷設定を示すことができ、前記
印刷ジョブ定義データ生成手段も、予め決められた印刷設定に基づいて、印刷ジョブ定義
データを生成することができるので、ユーザに所望の印刷ジョブ定義データを生成するこ
とができるという効果が得られる。
【００１３】
〔形態５〕  形態５の印刷ジョブ定義データ判定装置は、
印刷ジョブ定義データを取得する印刷ジョブ定義データ取得手段と、
曖昧な印刷設定を保存する設定内容保存手段と、
設定内容に基づき曖昧な印刷設定の指示を受け付ける曖昧印刷設定指示手段と、
印刷用のコンテンツを解析するコンテンツ解析手段と、
前記曖昧な印刷設定と、前記コンテンツの内容と、印刷ジョブ定義データとの関係を示
す生成ルールを保存する生成ルール保存手段と、
前記生成ルールに基づいて、前記曖昧な印刷設定および前記コンテンツから、前記印刷
ジョブ定義データを判定する印刷ジョブ定義データ判定手段と、からなる。
【００１４】
この構成によれば、印刷ジョブ定義データ取得手段により、印刷ジョブ定義データを取
得し、設定内容保存手段により曖昧な印刷設定を保存しておき、曖昧印刷設定指示手段に
より、設定内容に基づき曖昧な印刷設定の指示を受け付け、コンテンツ解析手段により印
刷用のコンテンツを解析し、生成ルール保存手段により、前記設定内容保存手段に保存さ
れている曖昧な印刷設定と、前記コンテンツ解析手段により解析されたコンテンツの内容
と、印刷ジョブ定義データとの関係を示す生成ルールを保存し、印刷ジョブ定義データ判
定手段により、前記曖昧な印刷設定と、前記コンテンツの内容と、前記生成ルールとに基
づいて、印刷ジョブ定義データを判定するので、曖昧な印刷設定とコンテンツの内容との
両方に適合した印刷仕様を算出することができ、無駄な印刷を省くことができるという効
果が得られる。
【００１５】
〔形態６〕  形態６の印刷ジョブ定義データ修正装置は、
印刷ジョブ定義データを取得する印刷ジョブ定義データ取得手段と、
曖昧な印刷設定を保存する設定内容保存手段と、
設定内容に基づき曖昧な印刷設定の指示を受け付ける曖昧印刷設定指示手段と、
印刷用のコンテンツを解析するコンテンツ解析手段と、
前記曖昧な印刷設定と、前記コンテンツの内容と、印刷ジョブ定義データとの関係を示
す生成ルールを保存する生成ルール保存手段と、
前記生成ルールに基づいて、前記曖昧な印刷設定および前記コンテンツから、前記印刷
ジョブ定義データを修正する印刷ジョブ定義データ修正手段と、からなる。
【００１６】
この構成によれば、印刷ジョブ定義データ取得手段により、印刷ジョブ定義データを取
得し、設定内容保存手段により曖昧な印刷設定を保存しておき、曖昧印刷設定指示手段に
より、設定内容に基づき曖昧な印刷設定の指示を受け付け、コンテンツ解析手段により印
刷用のコンテンツを解析し、生成ルール保存手段に、前記設定内容保存手段に保存されて
いる曖昧な印刷設定と、前記コンテンツ解析手段により解析されたコンテンツの内容と、
印刷ジョブ定義データとの関係を示す生成ルールを保存し、印刷ジョブ定義データ修正手
段により、前記曖昧な印刷設定と、前記コンテンツの内容と、前記生成ルールとに基づい
て、印刷ジョブ定義データを修正するので、曖昧な印刷設定とコンテンツの内容との両方
に適合した印刷仕様を算出することができ、無駄な印刷を省くことができるという効果が
得られる。
【００１７】
〔形態７〕  形態７の印刷ジョブ定義データ生成方法は、
曖昧な印刷設定を保存する設定内容保存ステップと、
設定内容に基づき曖昧な印刷設定の指示を受け付ける曖昧印刷設定指示ステップと、
印刷用のコンテンツを解析するコンテンツ解析ステップと、
前記曖昧な印刷設定と、前記コンテンツの内容と、印刷ジョブ定義データとの関係を示
す生成ルールを保存する生成ルール保存ステップと、
前記生成ルールと基づいて、前記曖昧な印刷設定および前記コンテンツの内容から印刷
ジョブ定義データを生成する印刷ジョブ定義データ生成ステップと、を含む。
【００１８】
この構成によれば、設定内容保存ステップにより曖昧な印刷設定を保存しておき、曖昧
印刷設定指示ステップにより、設定内容に基づき曖昧な印刷設定の指示を受け付け、コン
テンツ解析ステップにより印刷用のコンテンツを解析し、生成ルール保存ステップにより
、前記設定内容保存ステップで保存されている曖昧な印刷設定と、前記コンテンツ解析ス
テップにより解析されたコンテンツの内容と、印刷ジョブ定義データとの関係を示す生成
ルールを保存し、印刷ジョブ定義データ生成ステップにより、前記曖昧な印刷設定と、前
記コンテンツの内容と、前記生成ルールとに基づいて、印刷ジョブ定義データを生成する
ので、曖昧な印刷設定とコンテンツの内容との両方に適合した印刷仕様を算出することが
でき、無駄な印刷を省くことができるという効果が得られる。
【発明を実施するための最良の形態】
【００１９】
以下、図面を参照して、本発明の実施形態に係る印刷ジョブ定義データ生成装置につい
て詳細に説明する。なお、この印刷ジョブ定義データ生成装置を構成する各要素は、各々
別の装置に配置されこれらの装置を統合して全体として印刷ジョブ定義データ生成装置を
構成することもできるし、１つの装置内に配置されその装置全体を印刷ジョブ生成装置と
して構成することもできるし、あるいは印刷制御装置又は印刷装置の中に含めて印刷制御
装置または印刷装置として構成することもできる。
【００２０】
［第１実施形態］
まず、本発明の第１実施形態に係る印刷ジョブ定義データ生成装置について説明する。
図１は、本発明の第１実施形態に係る印刷ジョブ定義データ生成装置の構成を示すブロ
ック図である。
この印刷ジョブ定義データ生成装置１は、曖昧な印刷設定を受け付ける曖昧印刷設定指
示手段１１と、コンテンツの内容を解析するコンテンツ解析手段１２と、曖昧な印刷設定
と、コンテンツの内容および印刷ジョブ定義データとの関係を示す生成ルールを保持する
生成ルール保存手段１５と、曖昧な印刷設定と、コンテンツ解析手段１２にて解析された
コンテンツの解析結果とに基づいて、生成ルール保存手段１５に保存されている生成ルー
ルを適用し、適切な印刷ジョブ定義データを生成する印刷ジョブ定義データ生成手段１３
と、曖昧な印刷設定を保存する設定内容保存手段１４と、からなる。
【００２１】
曖昧印刷設定指示手段１１は、通常の印刷設定ではなく、一般的に曖昧とみなされる曖
昧な印刷設定を受け付け、通常の印刷ジョブ定義データを生成するよう指示する。その際
、設定内容保存手段１４により保存されている設定内容に従って、ユーザに曖昧印刷設定
の指示画面を表示する。
コンテンツ解析手段１２は、印刷データに含まれる印刷用のコンテンツを解析する。こ
の解析は、主として、表紙に高画質画像を持つ場合、のコンテンツの内容を随時解析する
。この結果、表紙に高画質画像を持つ場合には、表紙のみ専用光沢紙で印刷する、という
印刷ジョブ定義データが生成されることになる。また、コンテンツの必要色数では、コン
テンツ内で使用されている色数を求める。
【００２２】
印刷ジョブ定義データ生成手段１３は、曖昧印刷設定指示手段１１によって指示された
設定内容に従って、コンテンツ解析手段１２にて解析されたコンテンツの解析結果に基づ
いて、生成ルール保存手段１５に保存されている生成ルールを適用し、適切な印刷ジョブ
定義データを生成する。
設定内容保存手段１４は、曖昧な印刷設定を随時保存しておく。曖昧な印刷設定につい
ては、後述するが、例えば、本・チラシなど出来上がりの外観的な表現に留まる。
生成ルール保存手段１５は、曖昧印刷設定で表示される設定内容と、コンテンツの内容
と、最適な印刷ジョブ定義データとの組み合わせを保存する。
【００２３】
上記構成により、設定内容保存手段１４により曖昧な印刷設定を保存しておき、曖昧印
刷設定指示手段１１により、設定内容に基づき曖昧な印刷設定の指示を受け付け、コンテ
ンツ解析手段１２により印刷用のコンテンツを解析し、生成ルール保存手段１５に、設定
内容保存手段１４に保存されている曖昧な印刷設定と、コンテンツ解析手段１２により解
析されたコンテンツの内容と、印刷ジョブ定義データとの関係を示す生成ルールを保存し
、印刷ジョブ定義データ生成手段１３により、曖昧な印刷設定と、コンテンツの内容と、
生成ルールとに基づいて、印刷ジョブ定義データを生成するので、曖昧な印刷設定とコン
テンツの内容との両方に適合した印刷仕様を算出することができ、無駄な印刷を省くこと
ができる。
【００２４】
なお、「曖昧な印刷設定」とは、特定の定義はないが、本明細書においては、厳密な印
刷設定ではなく、「本」、「チラシ」、「見開きパンフ」、「三ツ折りパンフ」など出来
上がりの外観的な印刷物を表現したものをいう。その他、「冊子」、「名刺」、「封筒」
、「はがき」、「ポストカード」、「うちわ」、「伝票」、「連続帳票」、「ポスター」
など、種々の印刷物を対象とする。
【００２５】
図２は、コンピュータシステムのハードウェア構成を示す機能ブロック図である。
ここで、この印刷ジョブ定義データ生成装置１は、曖昧印刷設定指示手段１１、コンテ
ンツ解析手段１２、印刷ジョブ定義データ生成手段１３、設定内容保存手段１４、生成ル
ール保存手段１５などをソフトウェア上で実現するためのコンピュータシステムを備えて
おり、そのハードウェア構成は、図２に示すように、各種制御や演算処理を担う中央演算
処理装置であるＣＰＵ（Ｃｅｎｔｒａｌ  Ｐｒｏｃｅｓｓｉｎｇ  Ｕｎｉｔ）６０と、主
記憶装置（Ｍａｉｎ  Ｓｔｏｒａｇｅ）を構成するＲＡＭ（Ｒａｎｄｏｍ  Ａｃｃｅｓｓ
Ｍｅｍｏｒｙ）６２と、読み出し専用の記憶装置であるＲＯＭ（Ｒｅａｄ  Ｏｎｌｙ  
Ｍｅｍｏｒｙ）６４との間をＰＣＩ（Ｐｅｒｉｐｈｅｒａｌ  Ｃｏｍｐｏｎｅｎｔ  Ｉｎ
ｔｅｒｃｏｎｎｅｃｔ）バスやＩＳＡ（Ｉｎｄｕｓｔｒｉａｌ  Ｓｔａｎｄａｒｄ  Ａｒ
ｃｈｉｔｅｃｔｕｒｅ）バス等からなる各種内外バス６８で接続すると共に、このバス６
８に入出力インターフェース（Ｉ／Ｆ）６６を介して、ＨＤＤ（Ｈａｒｄ  Ｄｉｓｋ  Ｄ
ｒｉｖｅ）などの外部記憶装置（Ｓｅｃｏｎｄａｒｙ  Ｓｔｏｒａｇｅ）７０や、印刷手
段やＣＲＴ、ＬＣＤモニター等の出力装置７２、操作パネルやマウス、キーボード、スキ
ャナなどの入力装置７４、および図示しない印刷指示装置などと通信するためのネットワ
ークＬなどを接続したものである。
【００２６】
そして、電源を投入すると、ＲＯＭ６４等に記憶されたＢＩＯＳ等のシステムプログラ
ムが、ＲＯＭ６４に予め記憶された各種専用のコンピュータプログラム、あるいは、ＣＤ
−ＲＯＭやＤＶＤ−ＲＯＭ、フレキシブルディスク（ＦＤ）などの記憶媒体を介して、ま
たはインターネットなどの通信ネットワークＬを介して記憶装置７０にインストールされ
た各種専用のコンピュータプログラムを同じくＲＡＭ６２にロードし、そのＲＡＭ６２に
ロードされたプログラムに記述された命令に従ってＣＰＵ６０が各種リソースを駆使して
所定の制御および演算処理を行うことで前述したような各手段の各機能をソフトウェア上
で実現できるようになっている。
【００２７】
図３は、曖昧印刷設定の例を示す図である。
設定内容保存手段１４に保存される曖昧印刷設定は、一般的な印刷設定とは異なり、か
なり簡略化した印刷物の形態をいい、同図に示すように、「本」、「チラシ」。「見開き
パンフ」、「三つ折りパンフ」などとして示される。例示した曖昧印刷設定以外に、種々
の曖昧印刷設定が存在するが、ここでは、上記４つの形態について説明する。
【００２８】
まず、「本」は、表示画像に示すように、本そのものの形態であり、その説明として、
「製本した印刷物を作成します」と記述され、「チラシ」は、表示画像に示すように、ぺ
らぺらとした一枚の用紙の形態であり、その説明として、「１枚のチラシを作成します」
と記述され、「見開きパンフ」は、表示画像に示すように、一枚の用紙を二つ折りにした
見開きパンフレットの形態であり、その説明として、「見開きの印刷物を作成します」と
記述され、「見開きパンフ」は、表示画像に示すように、一枚の用紙を二つ折りにした見
開きパンフレットの形態であり、その説明として、「見開きの印刷物を作成します」と記
述され、「三つ折りパンフ」は、表示画像に示すように、一枚の用紙を三つ折りにしたパ
ンフレットの形態であり、その説明として、「三つ折り１枚の印刷物を作成します」と記
述されている。
【００２９】
図４は、生成ルールの内容を示す図である。
生成ルールの構成は、曖昧印刷設定名、コンテンツの内容、印刷ジョブ定義データの内
容からなる。この例では、曖昧印刷設定名が「本」と設定されている場合について説明す
る。
曖昧印刷設定名「本」に対して、コンテンツの内容の部分で、「表紙に高画質画像を持
つ？」か、否かによって分けられ、持つ場合の印刷ジョブ定義データは、「Ｔｒｕｅ」に
、「表紙＝専用光沢紙」と記述されている。また、持たない場合の印刷ジョブ定義データ
は、「Ｆａｌｓｅ」に、「−」と記述されているので、用紙種類等は問わないことを示し
ている。
【００３０】
また、コンテンツの内容の部分で、「コンテンツ内の必要色数≧６」か、否かによって
も分けられ、印刷ジョブ定義データは、「Ｔｒｕｅ」に、「用紙＝専用光沢紙、インク＝
６色」と記述され、「Ｆａｌｓｅ」に、「−」と記述されているので、用紙種類、インク
色数等は問わないことを示している。
また、コンテンツの内容の部分で、「６＞コンテンツ内の必要色数≧２」か、否かによ
っても分けられ、印刷ジョブ定義データは、「Ｔｒｕｅ」に、「用紙＝専用マット紙、イ
ンク＝４色」と記述され、「Ｆａｌｓｅ」に、「用紙＝普通紙、インク＝１色」と記述さ
れている。従って、「Ｆａｌｓｅ」の場合、すなわち、コンテンツ内の必要色数が６以上
、２以下の場合は、「用紙＝普通紙、インク＝１色」という印刷ジョブ定義データが作成
される。
【００３１】
また、コンテンツの内容の部分で、「枚数≧１０枚」か、否かによっても分けられ、印
刷ジョブ定義データは、「Ｔｒｕｅ」に、「綴じ位置＝左綴じ」と記述され、「Ｆａｌｓ
ｅ」に、「綴じ位置＝中綴じ」と記述されている。すなわち、枚数が１０枚以下の場合は
、「綴じ位置＝中綴じ」という印刷ジョブ定義データが作成される。
また、コンテンツの内容の部分で、「２枚≧枚数」か、否かによっても分けられ、印刷
ジョブ定義データは、「Ｔｒｕｅ」に、「曖昧印刷設定名＝見開きパンフ」と記述され、
「Ｆａｌｓｅ」に、「−」と記述されているので、枚数が２枚以下の場合は、曖昧印刷名
を問わないことを示している。
また、コンテンツの内容の部分で、「４ｐｔ（ｐｏｉｎｔ）≧各ページ最小フォントサ
イズ」か、否かによっても分けられ、印刷ジョブ定義データは、「Ｔｒｕｅ」に、「用紙
＝専用マット紙、ｏｒ専用光沢紙（対象ページのみ）」と記述され、「Ｆａｌｓｅ」に、
「用紙＝普通紙」と記述されている。
【００３２】
図５は、曖昧印刷設定の指示画面を示す図である。
曖昧印刷設定指示手段１１では、設定内容保存手段１４に保存されている設定内容に従
って、ユーザに曖昧印刷設定の指示画面を表示する。
この指示画面は、曖昧印刷設定指示手段１１として、ＵＩ（Ｕｓｅｒ  Ｉｎｔｅｒｆａ
ｃｅ）を用いており、ユーザは、所望の印刷設定をクリックすることによって、所望の印
刷設定を指示することができる。
【００３３】
この例では、「印刷設定を指定して下さい」というメッセージの下側に、「本」、「チ
ラシ」、「見開きパンフ」、「三ツ折りパンフ」などの曖昧印刷設定が表示されている。
そして、ユーザがこれら曖昧印刷設定のいずれかをクリックすると、この曖昧印刷設定
に基づいて、印刷ジョブ定義データが生成される。印刷ジョブ定義データ生成手段１３で
は、曖昧印刷設定指示手段１１によって指示された内容に従って、印刷ジョブ定義データ
を生成する。
【００３４】
図６は、コンテンツ解析手段で用いられる画質判定ルールの一例を示す図である。
コンテンツ解析手段１２は、印刷データに含まれる印刷用のコンテンツを解析するが、
この解析は、主としてコンテンツの画質を解析するものである。画質は、解像度、使用色
数、およびコンテンツ種別などに基づいて、高画質、中画質、または低画質かを判定する
もので、そのルールを図６に示したものである。
【００３５】
この例では、最上段のコンテンツが、解像度「１２００ｄｐｉ（Ｄｏｔ  ｐｅｒ  Ｉｎ
ｃｈ）以上」、使用色数「フルカラー」、コンテンツ種別「写真含む」もので、その結果
、このコンテンツの画質は「高画質」と判定される。同様にして、２段目のコンテンツは
、解像度「６０１ｄｐｉ−１２００ｄｐｉ」、使用色数「フルカラー」、コンテンツ種別
「写真含む」もので、その結果、このコンテンツの画質は、最上段のコンテンツと比較し
て解像度が低いので、「中画質」と判定される。また同様に、３段目のコンテンツは、解
像度「３０１ｄｐｉ−１２００ｄｐｉ」、使用色数「１万色以上」、コンテンツ種別「写
真含まず、イラスト画像のみ」というもので、その結果、このコンテンツの画質は、２段
目のコンテンツと比較して解像度が低く、使用色数も少なく、写真を含んでいないので、
「低画質１」と判定される。また同様に、４段目のコンテンツは、解像度「−３０１ｄｐ
ｉ」、使用色数「１万色以上」、コンテンツ種別「写真含まず」というもので、その結果
、このコンテンツの画質は、３段目のコンテンツと比較して解像度が低いので、「低画質
２」と判定される。
【００３６】
このコンテンツ解析は、表紙・裏表紙と中身とを分けて解析し、表紙に高画質画像を持
つ場合には、表紙のみ専用光沢紙で印刷する、という印刷ジョブ定義データが生成される
ことになる。
この画質判定ルールによれば、コンテンツの中に含まれている一部または全ての画像に
対して、画質判定ルールを適用して、解像度および使用色数から、画質を推定することに
より、正確な画像解析を行うことができ、印刷ジョブ定義データ生成手段１３においても
、適切な印刷ジョブ定義データを生成することができる。
また、曖昧な印刷設定が、例えば本のような場合には、コンテンツの表紙または裏表紙
と中身とに分けてコンテンツの解析を行うので、用紙の厚さ等に応じた印刷設定を行うこ
とができ、より適切な印刷ジョブ設定データを生成することができる。
【００３７】
図７は、生成された印刷ジョブ定義データの一例を示す図である。
印刷ジョブ定義データ生成手段１３にて生成された印刷ジョブ定義データは、＜全体印
刷＞と、＜ページ設定＞とからなり、＜全体設定＞では、＜用紙種別＞、＜印刷データ＞
、＜綴じ位置＞、＜仕上がり用紙サイズ＞などが記述され、特に本実施形態では、＜印刷
解像度＞も含まれているものとする。この例では＜用紙種別＞は「普通紙」、＜印刷デー
タ＞の＜ファイル種別＞では「ｆｉｌｅ０１．ｐｄｆ」、＜綴じ位置＞は「中綴じ」と設
定され、＜ページ設定＞では、表紙の部分と中身とに分け、表紙の部分は、＜ページ設定
ｐａｇｅ＝“１”＞（頁番号が１であることを示している）と記述され、その＜用紙種
別＞は「専用光沢紙」と設定されている。また、中身の部分は、＜ページ設定  ｐａｇｅ
＝“２”＞（頁番号が２であることを示している）と記述され、その＜用紙種別＞は「専
用マット紙」と設定されている。
【００３８】
図８は、印刷ジョブ定義データ生成方法を示すフローチャートである。
印刷ジョブ定義データ生成手段１３においては、まず、ステップＳ１０１において、曖
昧印刷設定指示手段１１にて指示された指示画面より、設定内容に従い、曖昧印刷設定を
取得する。そして、ステップＳ１０２において、生成ルール保存手段１５に保存されてい
る生成ルールに基づいて、曖昧印刷設定から印刷ジョブ定義データを生成する。次に、ス
テップＳ１０３において、生成した印刷ジョブ定義データを印刷制御装置または印刷装置
に出力して、印刷ジョブ定義データ生成装置における処理を終了する。
【００３９】
図９は、印刷ジョブ定義データ生成方法をより詳細に示すフローチャートである。
印刷ジョブ定義データ生成手段１３において、生成ルールに基づいて、曖昧印刷設定か
ら印刷ジョブ定義データを生成する方法は、以下の手順で行う。
まず、ステップＳ２０１において、印刷ジョブ定義データ生成手段１３は、生成ルール
保存手段１５から、指定された曖昧印刷設定に対応する生成ルールを取得する。次に、ス
テップＳ２０２において、対応する生成ルールの全てを適用するか否かを判断する。そし
て、ステップＳ２０３において、生成ルールに対応したコンテンツの内容を解析し、ステ
ップＳ２０４において、対応した印刷ジョブ定義データの要素を決定する。このステップ
Ｓ２０２〜ステップＳ２０４を繰り返し、全ての生成ルールについて対応した印刷ジョブ
定義データの要素が決定された場合、ステップＳ２０５において、決定した要素から印刷
ジョブ定義データを生成して、終了する。
【００４０】
［第２実施形態］
次に、本発明の第２実施形態について説明する。
前述した第１実施形態は、印刷ジョブ定義データは、入力されず、後ほど生成されるの
に対して、本実施形態では、入力される印刷データがコンテンツデータと印刷ジョブ定義
データとを含み、入力される印刷ジョブ定義データとは別に、曖昧印刷設定と、コンテン
ツの内容とに基づいて、適切な印刷ジョブ定義データを生成し、最後に生成された印刷ジ
ョブ定義データに基づいて、入力された印刷ジョブ定義データを修正する。
【００４１】
図１０は、入力される印刷ジョブ定義データの一例を示す図である。
入力される印刷データがコンテンツデータと印刷ジョブ定義データとを含む場合、印刷
ジョブ定義データは、用紙サイズ、面付け、インク種別、後工程情報などを含む。特に、
本実施形態では、印刷ジョブ定義データとして、印刷解像度も含めて設定されているもの
とする。
この例では、印刷ジョブ定義データの項目として、「カラー、綴じ位置、両面印刷、仕
上がり用紙サイズ、印刷解像度」が記述され、その内容は、それぞれ、「ＣＭＹＫ（Ｃｙ
ａｎ，Ｍａｇｅｎｔａ，Ｙｅｌｌｏｗ，Ｂｌａｃｋ）、中綴じ、両面、Ａ４ポートレート
、３００ｄｐｉ」となっている。
【００４２】
本実施形態でも、基本的動作は第１実施形態と同様であり、第２実施形態では、第１実
施形態の「印刷ジョブ定義データ生成手段」によって生成された印刷ジョブ定義データを
、「印刷ジョブ定義データ修正手段」によって順次置き換えることによって動作する。あ
るいはまた、「印刷ジョブ定義データ生成手段」に相当するものとして、「印刷ジョブ定
義データ修正手段」を配置し、「印刷ジョブ定義データ修正手段」内で、印刷ジョブ定義
データを生成するとともに、生成された印刷ジョブ定義データを参照して入力された印刷
ジョブ定義データを修正するように構成しても良い。
【００４３】
図１１は、生成された印刷ジョブ定義データの一例を示す図である。
生成された印刷ジョブ定義データには、図１１に示すような内容が記述されている。
この例では、＜全体設定＞〜＜／全体設定＞の間に、＜給紙用紙サイズ＞、＜用紙種別
＞、＜両面印刷＞、＜カラー＞、＜印刷データ＞、＜綴じ位置＞、＜仕上がり用紙サイズ
＞などが記述され、本実施形態では、特に＜印刷解像度＞も含まれているものとする。
【００４４】
具体的には、＜給紙用紙サイズ＞〜＜／給紙用紙サイズ＞の間に「Ａ４」と記述され、
＜用紙種別＞〜＜／用紙種別＞の間に「普通紙」と記述され、＜両面印刷＞〜＜／両面印
刷＞の間に「両面」と記述され、＜カラー＞〜＜／カラー＞の間に「ＣＭＹＫ」と記述さ
れ、＜印刷データ＞〜＜／印刷データ＞の間に＜ファイル＞種別として「ｆｉｌｅ０１，
ｐｄｆ」と記述され、＜綴じ位置＞〜＜／綴じ位置＞の間に「中綴じ」と記述され、＜仕
上がり用紙サイズ＞〜＜／仕上がり用紙サイズ＞の間に「Ａ４ポートレート」、＜印刷解
像度＞〜＜／印刷解像度＞の間に「３００ｄｐｉ」と記述されている。
【００４５】
また、生成される印刷ジョブ定義データには、上記以外に、＜ページ設定＞という項目
を設け、そこに＜用紙種別＞を記述するようになっている。
＜ページ設定＞は、複数記述されることもでき、この例では、ページごとに２つ記述さ
れている。すなわち、最初の＜ページ設定＞は、１頁目の＜用紙種別＞を示し、「専用光
沢紙」と設定されている。これは、１頁目は、本の表紙であり、表紙は、一般的には高画
質で、デラックスな「専用光沢紙」を使用することが多いからである。また、２頁目は、
本の中身であり、一般的には表紙・裏表紙と比較して少し画質が落ち、使用する用紙も少
しランクが下の「専用マット紙」を用いている。以下、記述はされていないが、状況に応
じて＜ページ設定＞〜＜／ページ設定＞を追加して行くことができる。
【００４６】
以上の構成により、印刷ジョブ定義データ取得手段により、印刷ジョブ定義データを取
得し、設定内容保存手段１４により曖昧な印刷設定を保存しておき、曖昧印刷設定指示手
段１１により、設定内容に基づき曖昧な印刷設定の指示を受け付け、コンテンツ解析手段
１２により印刷用のコンテンツを解析し、生成ルール保存手段１５に、設定内容保存手段
１４に保存されている曖昧な印刷設定と、コンテンツ解析手段１２により解析されたコン
テンツの内容と、印刷ジョブ定義データとの関係を示す生成ルールを保存し、印刷ジョブ
定義データ修正手段により、曖昧な印刷設定と、コンテンツの内容と、生成ルールとに基
づいて、印刷ジョブ定義データを修正するので、曖昧な印刷設定とコンテンツの内容との
両方に適合した印刷仕様を算出することができ、無駄な印刷を省くことができる。
【００４７】
また、本発明の他の実施形態として、第２実施形態において用いられた印刷ジョブ定義
データ修正手段を印刷ジョブ定義データ判定手段に置き換え、印刷ジョブ定義データ判定
手段は、曖昧印刷設定と、コンテンツの内容と、生成ルールとに基づいて適切な印刷ジョ
ブ定義データを生成しておき、この適切な印刷ジョブ定義データに基づいて、入力された
印刷ジョブ定義データを判定するように構成することもできる。これにより、この判定結
果をユーザに掲示して最終的な処理をユーザに任せ、ユーザに所望の印刷ジョブ定義デー
タを選択することもできる。
【００４８】
なお、図８および図９のフローチャートに示す処理を実行するにあたっては、ＲＯＭに
予め格納されている制御プログラムを実行する場合について説明したが、これに限らず、
これらの手順を示したプログラムが記録された記憶媒体から、そのプログラムをＲＡＭに
組み込んで実行するようにしても良い。あるいは、そのプログラムをネットワークから取
得しても良い。
【００４９】
ここで、記憶媒体とは、ＲＡＭ、ＲＯＭ等の半導体記憶媒体、ＦＤ、ＨＤ等の磁気記憶
型記憶媒体、ＣＤ、ＣＤＶ、ＬＤ、ＤＶＤ等の光学的読取方式記憶媒体、ＭＯ等の磁気記
憶型／光学的読取方式記憶媒体であって、電子的、磁気的、光学的等の読み取り方法のい
かんにかかわらず、コンピュータで読み取り可能な記憶媒体であれば、あらゆる記憶媒体
を含むものである。
以上、本発明の実施形態について説明してきたが、本発明は、上記実施形態に限定され
ることなく、本発明の趣旨を逸脱することなく、種々の変更が可能である。
【００５０】
例えば、本実施形態では、各機能部は直接接続されるものとして説明したが、これに限
定されず、データの受け渡しは、ネットワークを介しても良いし、ＣＤ−ＲＯＭ、ＤＶＤ
−ＲＡＭ、ＵＳＢメモリのような外部記憶メディアを用いても良い。
また、曖昧印刷設定指示手段１１は、設定内容に基づき曖昧な印刷設定の指示を受け付
けるだけでなく、ユーザと対話する機能を有し、ユーザに所望の印刷設定を選択させ、印
刷ジョブ定義データ生成手段１３は、ユーザが選択した印刷設定に基づいて印刷ジョブ定
義データを生成するように構成することもできる。
【図面の簡単な説明】
【００５１】
【図１】本発明の第１実施形態に係る印刷ジョブ定義データ生成装置の構成を示すブロック図である。
【図２】コンピュータシステムのハードウェア構成を示す機能ブロック図である。
【図３】、曖昧印刷設定の例を示す図である。
【図４】生成ルールの内容を示す図である。
【図５】曖昧印刷設定の指示画面を示す図である。
【図６】コンテンツ解析手段で用いられる画質判定ルールの一例を示す図である。
【図７】生成された印刷ジョブ定義データの一例を示す図である。
【図８】印刷ジョブ定義データ生成方法を示すフローチャートである。
【図９】印刷ジョブ定義データ生成方法をより詳細に示すフローチャートである。
【図１０】入力される印刷ジョブ定義データの一例を示す図である。
【図１１】生成された印刷ジョブ定義データの一例を示す図である。
【符号の説明】
【００５２】
１…印刷ジョブ定義データ生成装置、１１…曖昧印刷設定指示手段、１２…コンテンツ解
析手段、１３…印刷ジョブ定義データ生成手段、１４…設定内容保存手段、１５…生成ル
ール保存手段
【図１】
2008257619.tif 000003
【図２】
2008257619.tif 000004
【図３】
2008257619.tif 000005
【図４】
2008257619.tif 000006
【図５】
2008257619.tif 000007
【図６】
2008257619.tif 000008
【図７】
2008257619.tif 000009
【図８】
2008257619.tif 000010
【図９】
2008257619.tif 000011
【図１０】
2008257619.tif 000012
【図１１】
2008257619.tif 000013